(57)【要約】【課題】災害時や高速道路上で渋滞した時に排便、排尿を我慢できない時に車の座席の上で簡単、安全に排便、排尿が出来る救急トイレを提供する。【解決手段】箱状の中に三角形の柱を二本成型し、上から中央部に長方形の穴を貫通させた箱蓋を被せ、お尻を乗せる便座部を設け、その上から凝固剤が入った吸収性シートを入れた廃棄用ポリ袋を被せ、車の座席の上に置いて簡単、安全に排便・排尿が出来る事と座席の傾斜に合わせて三角形の形状にする事で、高さを抑え、座った時に頭が天井につかえないのが特徴の車両用携帯簡易トイレ。【選択図】  図５
2008289848.tif 000002
【特許請求の範囲】
【請求項１】
箱状の中に車の座席の傾斜に合わせた三角形の柱を二本成型し、上から中央部に長方形の穴を貫通させた箱蓋を被せて、お尻を乗せる便座部を設け、その上から凝固剤が入った吸収性シートを入れた廃棄用ポリ袋を被せ、車の座席の上に置いて簡単、安全に排便・排尿が出来る事と組立てが簡単で、座席の傾斜に合わせて三角形の形状にする事で、高さを抑え、座った時に頭が天井につかえないのが特徴の車両用携帯簡易トイレ。
【請求項２】
凝固剤を入れた吸収シートを吸収性の良い紙で成型したＵ型の紙箱に入れ、廃棄用ポリ袋に入れて一体にし、使い捨て便器として登山や行楽に出掛ける時に、コンパクトに畳んでポケットやカバンに入れて携帯することができることを特徴とし、請求項１記載の車両用携帯簡易トイレにも利用できる携帯用使い捨てトイレ。
【発明の詳細な説明】
【技術分野】
【０００１】
本発明の車両用携帯簡易トイレは、高速道路上での渋滞や行楽地、釣りやキャンプ、特に災害時には避難所などでの仮設トイレは設置に時間がかかるが、そんな時にも瞬時に組立てて車の座席の上に置いて簡単・安全に排便・排尿が出来る便器で、子供も大人も我慢できない時の救急トイレとして使用することができる車両用携帯簡易トイレに関する。
【背景技術】
【０００２】
携帯簡易トイレの一例としては、箱型の便座と着脱自在の便袋となる簡易便器が開発されている（例えば特許文献１参照）。
【特許文献１】登録実用新案第３０１８４７８号公報
【発明の開示】
【発明が解決しようとする課題】
【０００３】
特許文献１の簡易便器は車の座席の上に置いた時、便器が後ろ側に傾斜してしまい、排泄物が後ろ側に溜まってしまい、前に取り付けた便袋には流れ落ちないおそれがあり、また上面の開口部が丸くて大きいので、座った時お尻が沈み込み汚れる恐れがある上、上記特許文献１以外にも色々な携帯トイレが開発されているが、排尿のみを対象にした物が多い。
【０００４】
本発明の車両用携帯簡易トイレは、上記事情に鑑みてなされたもので、その目的は災害時や道路上で渋滞した時に、瞬時に組立てて車の座席の上に置いて誰もが簡単に安心して排便、排尿ができる便器で、構造が簡素で廉価な製造コストで済む車両用携帯簡易トイレを提供することにある。
【課題を解決するための手段】
【０００５】
（請求項１について）
箱状の中に車の座席の傾斜に合わせた三角形の柱を二本成型し（図４）、その上から中央部に長方形の穴を貫通させた箱蓋を被せ（図５）、お尻を乗せる便座部を設け、上から凝固剤を入れた吸収性シートを入れた廃棄用のポリ袋を被せ（図６）、車の座席の上に置いて救急トイレとして使用することが出来ることと組立てが簡単で、座席の傾斜に合わせた三角の形状にする事で、高さを抑え、座った時に頭が天井につかえない（図７）のが特徴とする車両用携帯簡易トイレ。
【０００６】
（請求項２について）
凝固剤を入れた吸収シートを吸収性の良い紙で成型したＵ型の紙箱に入れ、廃棄用ポリ袋に入れて一体にし（図７、図８）、使い捨て便器として登山や行楽に出掛ける時に、コンパクトに畳んでポケットやカバンに入れて携帯することができることを特徴とし、請求項１記載の車両用携帯簡易トイレにも利用できる携帯用使い捨てトイレ。
【発明の効果】
【０００７】
本発明の車両用携帯簡易トイレは、高速道路上での渋滞や行楽地、釣りやキャンプ、災害時に排泄を我慢できない時は瞬時に組立てて車の座席の上に置いて簡単、安全に排便、排尿が出来る救急トイレで、構造は簡素で廉価となるため誰でもが安心して使用することができる。また、災害時の避難所に設けられる大型の仮設トイレは保管に大きな場所を必要とし、使用後は排泄物の処理や仮設トイレの回収に行く事などの保管や管理にも多額な経費がかかるが、本発明の車両用携帯簡易トイレは、それらの手間が要らないので時間と費用の節約になる。
【発明を実施するための最良の形態】
【０００８】
箱状の中に車の座席の傾斜に合わせた三角形の柱を二本成型し（図４）、その上面から中央部に長方形の穴を貫通させた箱蓋を被せ（図５）、お尻を乗せる便座部を設け、上から廃棄用のポリ袋を被せ（図６）、その底部に凝固剤を入れた吸収性シートを入れて、車の座席の上に置いて我慢できない時の救急トイレとして使用する。
【実施例】
【０００９】
災害時や交通渋滞をした時に排便・排尿を我慢できない時、箱の中の三角形の柱二本を立てて（図３）、（図４）、その上から中央部に長方形の穴を貫通させた蓋を被せ（図５）、お尻を乗せる便座部を設け、上から廃棄用のポリ袋を被せ（図６）、その底部に凝固剤を入れた吸収性シートを入れて、車の座席の上に置いて救急トイレとして使用する。
【産業上の利用可能性】
【００１０】
災害が発生して道路が壊れて交通渋滞やライフラインが停止すると非常に不便な生活を強いられることになり、トイレ問題は避難所においても大きな問題になりますが、本発明の車両用携帯簡易トイレは構造が簡素で廉価なため誰でもが簡単に安心して使用することが出来るためトイレを我慢して血栓症などの病気になるのを防ぐことができる。大型の仮設トイレはトラックなどで運搬しなければならないので道路が壊れた場合は運搬できなくなる恐れがあるが、本発明の車両用携帯簡易トイレはコンパクトで軽量なため自転車や徒歩でも必要なところへ瞬時に届けることができる。また、大型の仮設トイレは保管に大きな場所を必要とし、使用後は排泄物の処理や仮設トイレの回収に行く事などの保管や管理にも多額な経費がかかるが、本発明の車両用携帯簡易トイレは、それらの手間が要らないので時間と費用の節約になる。必要な部材は地球温暖化防止の推進のため環境に優しいダンボール紙を使用することができ、繰り返し何度でも使用することができる。請求項２の携帯用使い捨てトイレは登山者が排泄物を持ち帰ることにより自然環境の保護になる。
【図面の簡単な説明】
【００１１】
【図１】車両用携帯簡易トイレを構成する必要な部品の斜視図である。
【図２】車両用携帯簡易トイレを収納した時の斜視図である。
【図３】車両用携帯簡易トイレの上蓋を外した状態の斜視図である。
【図４】車両用携帯簡易トイレの柱を立てた状態の斜視図である。
【図５】車両用携帯簡易トイレの柱を立てた状態の上に上蓋を被せ組立てが完成した状態の斜視図である。
【図６】組立が完成した本体の上から凝固剤が入った吸収性シートを入れた廃棄用ポリ袋を被せて使用可能な状態の斜視図である。
【図７】車両用携帯簡易トイレの側面斜視図である。
【図８】請求項２の携帯用使い捨てトイレを構成する必要な部品の斜視図である。
【図９】請求項２の携帯用使い捨てトイレの使用可能な状態の斜視図である。
【図１０】携帯用使い捨てトイレの使用後の状態の斜視図である。
【符号の説明】
【００１２】
１  本体底部  
２  体重を支える三角柱
３  便座部
４  廃棄用ポリ袋
５  凝固剤が入った吸収性シート
６  紙オマル
７  車の座席シート
【図１】
2008289848.tif 000003
【図２】
2008289848.tif 000004
【図３】
2008289848.tif 000005
【図４】
2008289848.tif 000006
【図５】
2008289848.tif 000007
【図６】
2008289848.tif 000008
【図７】
2008289848.tif 000009
【図８】
2008289848.tif 000010
【図９】
2008289848.tif 000011
【図１０】
2008289848.tif 000012